(57)【特許請求の範囲】
【請求項１】
左右の支柱にそれぞれ下枠を固定し、各下枠と各下枠にそれぞれ対応して設けられた上枠との間を縦枠により結合し、各下枠にそれぞれ対応して設けられた上枠どうしを突き合わせ、
前記各上枠の上面に、上枠の支持部材の結合金具用結合ボルトに螺合する裏板を収容する裏板収容部を形成し、各裏板収容部は上面にそれぞれ前記結合ボルトを通すボルト挿通用溝を有する合掌式簡易屋根において、
前記左右の支柱にそれぞれ取付けられる上枠のうちの一方と他方にそれぞれ取付けられて上枠間からの雨水の漏れを防止する第１、第２の合掌材を備え、
第１の合掌材は、水平取付片と、垂直取付片と、第２の合掌材側に水平に延出し、先端に下向きの突出部を設けた係合部を有し、
第２の合掌材は、水平取付片と、垂直取付片と、第１の合掌材側に水平に延出し、先端に上向きの突出部を設けた係合部を有し、
前記第１、第２の合掌材は、各水平取付片を対応する上枠の裏板収容部上に、前記ボルト挿通用溝の構成部分の片側に載置して溝を閉塞しない構造で固定具により固定するとともに、各垂直取付片の下部を上枠どうしの対向面に固定具により固定し、
前記第１の合掌材の係合部の下面に、前記第２の合掌材の係合部の突出部の上端を係合させて両合掌材どうしを組み合わせた
ことを特徴とする合掌式簡易屋根。
【請求項２】
請求項１に記載の合掌式簡易屋根において、
前記第１の合掌材の係合部の下面と、第２の合掌材の係合部の突出部との間にシール材を介在させた
ことを特徴とする合掌式簡易屋根。
【発明の詳細な説明】
【０００１】
【発明の属する技術分野】
本発明は、２台駐車用カーポート等に適用される合掌式簡易屋根に係り、特に合掌材の構造に関する。
【０００２】
【従来の技術および発明が解決しようとする課題】
図３（Ａ）は梁方式の合掌式カーポートの正面図、図３（Ｂ）はその合掌部の拡大図であり、カーポートは、基礎１に下端が固定される左右の支柱２に、それぞれ、雨樋を形成した下枠３を固定し、該下枠３と各下枠３にそれぞれ対応する上枠４との間を複数本の縦枠５および縦枠５間の補強枠（図示せず）により結合して枠組みし、上面よりパネル６を載せて固定する。これらの支柱２、下枠３、上枠４、縦枠５はアルミニウム合金製形材からなる。本例の構造は、実公平７−３５０２４号公報に開示されたものであり、図３（Ｂ）に示すように、側部の縦枠の側枠５Ａの先端部どうしを結合金具７により結合し、合掌部には、上枠どうしを上下の合掌材８、９により挟み、ねじ１０によって結合する構造が採用される。
【０００３】
このように、上下の合掌材８、９で突き合わされる上枠４、４を覆い、ねじ１０によって結合する構造は、梁方式の合掌式カーポートには適用できるが、図４（Ａ）に示すように、支持部材１１により支柱２と上枠４との間を結合することによって屋根を支持する上吊り方式のものには適用できない。
【０００４】
なぜならば、上吊り方式の場合、図４（Ｂ）に示すように、支持部材１１の結合金具１２を取付けるため、ねじ孔付き裏板１３の収容部４ａを形成し、ボルト１４を結合金具１２と収容部上面の溝４ｂに挿通して裏板１３にねじ込むため、上方の合掌材８によって上枠４全体を覆うことができず、図示のように、上枠４、４間の対向面側の一部を合掌材８が覆うことになり、このため、合掌材８と上枠４との間から雨水が上枠４、４間に入り、下方の合掌材９と上枠４との間から下方に雨水が漏れるからである。仮に、図５（Ａ）に示すように、上枠４、４全体を上方の合掌材８で覆うとすれば、上方の合掌材８が取付け金具１２の取付けの邪魔になり、支持部材１１の結合ができない。
【０００５】
また、図５（Ｂ）に示すように、上吊り方式のものを実現するため、一体型の上枠４Ａを使用することによって前記水漏れの問題を解決しようとすると、片流れ式のものと合掌式のものの兼用ができず、片流れ式のものの単体を施工した後、追加施工により合掌式のものを実現することはできず、融通性に乏しくなる。
【０００６】
本発明は、上記した問題点に鑑み、梁方式と上吊り方式に兼用でき、かつ片流れ式単体としての施工を妨げることがなく、融通性があり、防水機能が確保できる合掌部の構造を有する合掌式簡易屋根を提供することを目的とする。
【０００７】
【課題を解決するための手段】
上記目的を達成するために、本発明は、
左右の支柱にそれぞれ下枠を固定し、各下枠と各下枠にそれぞれ対応して設けられた上枠との間を縦枠により結合し、各下枠にそれぞれ対応して設けられた上枠どうしを突き合わせ、
前記各上枠の上面に、上枠の支持部材の結合金具用結合ボルトに螺合する裏板を収容する裏板収容部を形成し、各裏板収容部は上面にそれぞれ前記結合ボルトを通すボルト挿通用溝を有する合掌式簡易屋根において、
前記左右の支柱にそれぞれ取付けられる上枠のうちの一方と他方にそれぞれ取付けられて上枠間からの雨水の漏れを防止する第１、第２の合掌材を備え、
第１の合掌材は、水平取付片と、垂直取付片と、第２の合掌材側に水平に延出し、先端に下向きの突出部を設けた係合部を有し、
第２の合掌材は、水平取付片と、垂直取付片と、第１の合掌材側に水平に延出し、先端に上向きの突出部を設けた係合部を有し、
前記第１、第２の合掌材は、各水平取付片を対応する上枠の裏板収容部上に、前記ボルト挿通用溝の構成部分の片側に載置して溝を閉塞しない構造で固定具により固定するとともに、各垂直取付片の下部を上枠どうしの対向面に固定具により固定し、
前記第１の合掌材の係合部の下面に、前記第２の合掌材の係合部の突出部の上端を係合させて両合掌材どうしを組み合わせた
ことを特徴とする（請求項１）。
【０００８】
また、本発明は、請求項１に記載の合掌式簡易屋根において、
前記第１の合掌材の係合部の下面と、第２の合掌材の係合部の突出部との間にシール材を介在させた
ことを特徴とする（請求項２）。
【０００９】
【作用】
請求項１においては、突き合わされる上枠の各裏板収容部間が、各上枠に取付けた合掌材の組み合わせによって閉塞され、防水構造が実現できる。また、合掌材は、裏板収容部の溝を閉塞しないため、合掌材が結合金具取付け用ボルトの挿通の邪魔にならず、梁方式と上吊り方式の双方に兼用できる。また、合掌材は片流れ式のものに追加可能であり、既存の片流れのものを合掌式簡易屋根に変えることができる。
【００１０】
請求項２においては、一方の合掌材の上向きの突出部と他方の合掌材の下面との間にシール材を介在させたので、防水機能が向上する。
【００１１】
【実施例】
以下、本発明の実施例を図面を参照して詳述する。図１は本発明の簡易屋根における突き合わせ部の構造の一例を示す端面図、図２は合掌部の構造を示す分解斜視図である。
【００１２】
図１、図２において、４は前記左右の支柱１に固定された下枠３それぞれ縦枠５を介して取付けられた上枠であり、縦枠５はねじ１６により上枠４に結合される。６はパネルであり、パネル６の上縁がグレチャン１８を介して上枠４の凹部４ｃ内に挿入され、パネル６の左右の縁を縦枠カバー１９により押えて縦枠５に縦枠カバー１９を固定する。
【００１３】
２０は互いに突き合わされる上枠４を結合する結合金具であり、該結合金具２０は、断面形状がアーチ型をなし、両端部に設けた鍔２０ａを上枠４の裏板収容部４ａ上に載せ、鍔２０ａに設けた孔にボルト１４を挿通し、かつ裏板収容部４ａの上面の溝４ｂを通して、裏板収容部４ａ内に収容された裏板１３のねじ孔にボルト１４をねじ込んで固定することにより、上枠４、４どうしを結合する。また、該結合金具２０には、前記支柱２（図３（Ａ）参照）に一端が結合された支持部材１１の他端が、ボルト２１によって結合され、これにより、屋根の上枠４側が、支持部材１１を介して前記支柱２に支持される。
【００１４】
２２、２３はそれぞれ上枠４とほぼ同長の長さを有する第１、第２の合掌材であり、各合掌材２２、２３はそれぞれ水平取付片ａ、ｂと垂直取付片ｃ、ｄを有し、また、各合掌材２２、２３には、それぞれ相手側に突出した係合部ｅ、ｆを有し、第１の合掌材２２の係合部ｅは逆Ｕ字形に形成する、すなわち係合部ｅの先端には下向きの突出部を形成する。また、その係合部ｅの下面にシール材２４を取付ける。第２の合掌材２３の係合部ｆの先端には上向きの突出部ｇを形成する。
【００１５】
これらの合掌材２２、２３は、それぞれ水平取付片ａ、ｂがそれぞれ裏板１３の収容部４ａの上面に、溝４ｂを塞がないように溝構成部分の片側に載せ、自己穿孔機能のあるノッチねじ等の固定具２５によって水平取付片ａ、ｂを裏板収容部４ａ上に固定すると共に、垂直取付片ｃ、ｄをそれぞれ上枠４の相互の対向面に前記と同様の自己穿孔機能のある固定具２６により固定する。
【００１６】
上枠４、４どうしの結合を行う場合は、予め結合金具２０をボルト１４および裏板１３によって図１における左側の上枠４、すなわちシール材２４を取付ける側の上枠４に固定し、かつ左側の支持部材１１をボルト２１によって結合金具２０に結合しておく。そして、右側の第２の合掌材２３を固定した上枠４を、二点鎖線で示す状態から実線で示す位置に持ち上げることにより、上方への突出部ｇを第１の合掌材２２に取付けられているシール材２４に押し当て、結合金具２０の右側もボルト１４によって右側の上枠４に固定する。
【００１７】
このように、上枠４、４および合掌材２２、２３が組み合わされることにより、上枠４、４間の隙間が上枠４、４の上面部において塞がれると共に、合掌材２２、２３どうしがシール材２４によってシールされ、防水構造が実現される。
【００１８】
また、合掌材２２、２３の水平取付片ａ、ｂは溝４ｂを閉塞しないため、ボルト１４により結合金具２０を固定する際に、裏板１３の裏板収容部４ａにおける移動は自在に行え、合掌材２２、２３が結合金具２０の取付けの邪魔になることはない。
【００１９】
また、結合金具２０として片流れ式用のもの、あるいは図示のように合掌式用のものを用いることにより、合掌材２２、２３のない片流れ式の屋根を実現することができ、また、片流れ式の屋根が設置されている場合、結合金具を図示の合掌式の結合金具２０に変え、合掌材２２、２３を追加して取付けることにより、合掌式のものが実現できる。また、結合金具２０を外し、合掌材２２、２３どうしを固定具によって結合する（この場合、平面部で合掌材２２、２３の係合部ｅ、ｆどうしを上下に合わせてねじで結合する構造とする）ことにより、図３（Ａ）に示した梁方式のものが実現できる。
【００２０】
なお、本発明における合掌材２２、２３の具体的形状、取付け構造は、上記実施例以外に種々に変更、付加可能であり、シール材２４は後付けする側に予め取付けておく構造でもよい。
【００２１】
【発明の効果】
請求項１によれば、突き合わされる上枠における裏板収容部上に、溝を覆わないように、それぞれ別々の合掌材を取付け、各合掌材どうしを上下に組み合わせたので、梁方式の合掌式簡易屋根を実現する場合も、上吊り方式の合掌式簡易屋根を実現する場合のいずれにおいても適用でき、いずれの場合も防水構造が実現できる。また、既設の片流れ式の簡易屋根に対し、同形のものを追加して合掌式簡易屋根を実現することができ、融通性に富む。
【００２２】
請求項２によれば、請求項１の効果に加え、シール材の作用により防水機能を高めることができる。
【図面の簡単な説明】
【図１】  本発明の簡易屋根における突き合わせ部の構造の一例を示す端面図である。
【図２】  本実施例の合掌部の構造を示す分解斜視図である。
【図３】  （Ａ）は従来の梁方式の合掌式簡易屋根の正面図、（Ｂ）はその合掌部の従来構造の一例を合掌材を分解して示す正面図である。
【図４】  （Ａ）は従来の上吊り方式の簡易屋根の正面図、（Ｂ）は（Ａ）の簡易屋根に図３（Ｂ）の合掌材の変形例を用いた場合の問題点を示す正面図である。
【図５】  （Ａ）は図３（Ｂ）の合掌材を上吊り方式の簡易屋根にそのまま適用した場合の問題点を示す正面図、（Ｂ）は従来の合掌材の他の例を示す正面図である。
【符号の説明】
２：支柱、３：下枠、４：上枠、４ａ：裏板収容部、４ｂ：溝、５：縦枠、６：パネル、１１：支持部材、１３：裏板、１４、２１：ボルト、１９：縦枠カバー、２０：結合金具、２２：第１の合掌材、２３：第２の合掌材、２４：シール材、２５、２６：固定具、ａ、ｂ：水平取付片、ｃ、ｄ：垂直取付片、ｅ、ｆ：係合部、ｇ：突出部
【図１】
0003743693.tif 000002
【図２】
0003743693.tif 000003
【図３】
0003743693.tif 000004
【図４】
0003743693.tif 000005
【図５】
0003743693.tif 000006